(57)【要約】      （修正有）【課題】脚部を基台に対して揺動可能に取り付けることで開閉可能とし、更には脚部を開いた状態、閉じた状態それぞれで容易に固定可能とし、もって搬送や収納の便宜を図ることが可能な開閉脚付き支持体を提供すること。【解決手段】開閉脚付き支持体を、被支持物を支持する支柱４が摺動可能な筒部１０と、当該筒部の外周に複数設けられ、下方が開口し、側壁間に渡ってピンが横架され、側壁内周に、揺動するネジ部材に当接しない凸部を備えた箱状の脚部材取付部２０と、上記ピンを軸として揺動するネジ部材と、当該ネジ部材に螺号すると共に、その天面が凸部に当接可能な脚部材３０とで構成した。さらに、脚部材取付部２０の側壁の上部において、対向する側壁間の距離を短くすることで側壁内周に凸部を設けて構成した。【選択図】図１４
2017187120.tif 000002
【特許請求の範囲】
【請求項１】
被支持物を支持する支柱が摺動可能な筒部と、
当該筒部の外周に複数設けられ、下方が開口し、側壁間に渡ってピンが横架され、側壁内周に、揺動するネジ部材に当接しない凸部を備えた箱状の脚部材取付部と、
上記ピンを軸として揺動するネジ部材と、
当該ネジ部材に螺号すると共に、その天面が凸部に当接可能な脚部材と、
により成る開閉脚付き支持体。
【請求項２】
脚部材取付部の側壁の上部において、対向する側壁間の距離を短くすることで側壁内周に凸部を設けた請求項１に記載の開閉脚付き支持体。
【発明の詳細な説明】
【技術分野】
【０００１】
本発明は大型の扇風機やヒーター等の所定の物体を支持する際に用いられる三脚等の支持体に関し、特に工場などの冷暖房に使用される扇風機やヒーターの支持用として好適な開閉可能な脚部を備えた支持体に関する。
【背景技術】
【０００２】
工場等で使用される大型の扇風機などはモータトルクが大きく、重心が不安定となり倒れる恐れがある。そこで大型の三脚等の支持体を用いて支持し、転倒の防止を図っている。
【０００３】
かかる三脚等の支持体は、図１９に示すように基台１に脚部２をボルト・ナット等の緊締具３で固定する場合が多い。かように固定されると折り畳むことが出来ず、搬送や収納に不便である。
【０００４】
かかる不都合を回避するために、脚部を基台に対して揺動可能に取り付けることで開閉可能とし、更には脚部を開いた状態、閉じた状態それぞれで固定可能とし、もって搬送や収納の便宜を図る発明が種々提案されている。
【０００５】
例えば特許文献１に記載の考案は、脚部の開位置、閉位置それぞれで、蝶ネジで脚部を基台に固定可能に構成してある。
【０００６】
特許文献２に記載の考案は、脚部に取り付けられたピンが基台に設けられた凹部であるすべり止め部に嵌ることで、脚部を開位置、閉位置で固定可能に構成してある。
【先行技術文献】
【特許文献】
【０００７】
【特許文献１】登録実用新案公報第３１６８３０５号
【特許文献２】登録実用新案公報第３１１２０２５号
【発明の概要】
【発明が解決しようとする課題】
【０００８】
本考案もまた、脚部を基台に対して揺動可能に取り付けることで開閉可能とし、更には脚部を開いた状態、閉じた状態それぞれで容易に固定可能とし、もって搬送や収納の便宜を図ることが可能な開閉脚付き支持体を提供することを目的とする。
【課題を解決するための手段】
【０００９】
上記の目的を達成する本考案の構成は以下の通りである。
【００１０】
（１) 請求項１に記載の発明は、開閉脚付き支持体を、被支持物を支持する支柱が摺動可能な筒部と、当該筒部の外周に複数設けられ、下方が開口し、側壁間に渡ってピンが横架され、側壁内周に、揺動するネジ部材に当接しない凸部を備えた箱状の脚部材取付部と、上記ピンを軸として揺動するネジ部材と、当該ネジ部材に螺合すると共に、その天面が凸部に当接可能な脚部材とで構成した。
【００１１】
（２) 請求項２に記載の発明は、請求項１記載の開閉脚付き支持体において、脚部材取付部の側壁の上部において、対向する側壁間の距離を短くすることで側壁内周に凸部を設けて構成した。
【発明の効果】
【００１２】
上記のように構成される本発明が、如何に作用して課題を解決するかを図面を参照しながら概説する。
【００１３】
図１４に示すように本発明にかかる開閉脚付き支持体は、支柱４を摺動自在に挿入可能な筒部１０と、当該筒部１０の外周に複数設けられた脚部材取付部２０と、脚部取付部２０に対して揺動可能に取り付けられた脚部材３０とを主な構成要素とするものである。なお、支柱４の上部には、図示されないモータやファン等からなる扇風機本体などが存するものである。
【００１４】
図１５及び図１６は、上記のように構成される本発明の脚部材３０の開閉構造を示すものである。ネジ部材４０はピン２２を軸として揺動するものであり、該ネジ部材４０には脚部材３０が螺合されている。かかる構造ゆえに脚部材３０は図１５に示される開状態から図１６に示される閉状態に、あるいは逆に閉状態から開状態への移行が可能となるのである。
【００１５】
脚部材３０はネジ部材４０と螺合されていることから、脚部材３０はネジ部材４０に対して位置が可変となる。それゆえ図１５Ａに示されるように、脚部材３０の天面３１を凸部２１に当接させ、もって脚部取付部２０に脚部材３０を固定させ、つまりは脚部材３０の開状態を固定することが可能となる。他方で、図１５Ｂに示されるように、天面３１と凸部２１とが当接しない位置に脚部材３０を移動させれば、脚部材３０は揺動可能な状態となる。
【００１６】
図１６Ａは、上記のように脚部材３０を揺動可能な状態にしたうえで、脚部材３０を閉状態に揺動移行させた状態を示すものである。かかる状態から脚部材３０を回転させ、天面３１が凸部２１に当接する位置に移行させ、もって閉状態で固定した状態を示すのが図１６Ｂである。
【００１７】
かようにして本発明によれば、筒部１０と脚部取付部２０とにより成る基台に対して脚部材３０が揺動可能となり、つまりは脚部材３０を開閉可能とすることが可能となる。しかも、ネジ部材４０と脚部材３０が螺合されていることから、脚部材３０を回転させるという簡単な操作で脚部材３０を開いた状態、あるいは閉じた状態で固定することが可能となるのである。
【図面の簡単な説明】
【００１８】
【図１】請求項１記載の発明における基台の正面図
【図２】同、右側面図
【図３】同、左側面図
【図４】同、平面図
【図５】同、底面図
【図６】図４におけるＡ−Ａ線断面図
【図７】請求項２記載の発明における基台の正面図
【図８】同、右側面図
【図９】同、左側面図
【図１０】同、平面図
【図１１】同、底面図
【図１２】図１０におけるＢ−Ｂ線断面図
【図１３】図１０におけるＣ−Ｃ線断面図
【図１４】実施状態を示す説明図
【図１５】脚部材の開状態を示す説明図
【図１６】脚部材の閉状態を示す説明図
【図１７】ネジ部材と脚部材の関係を示す説明図
【図１８】支柱を固定した状態の説明図
【図１９】従来例の説明図
【発明を実施するための形態】
【００１９】
一、  以下、好ましい発明の一実施形態につき、図面を参照しながら概説する。なお、本発明の実施の形態は、下記の実施形態に何ら限定されることはなく、本発明の技術的範囲に属する限り種々の形態を採りうる。 
【００２０】
二、請求項１記載の発明の実施形態
図１乃至図６は請求項１に記載の発明における基台、すなわち筒部１０と脚部取付部２０を示すものである。なお、請求項１記載の発明における基台の背面図は、図１に示される正面図と対称に表れるものである。
【００２１】
請求項１に記載の開閉脚付き支持体における基台は、中央に筒部１０が存し、当該筒部１０の外周に脚部取付部２０が複数設けられるものである。  
【００２２】
筒部１０は、被支持物を支持する支柱が摺動可能な形態に設けられており、図１８に示すように筒部１０に設けられた孔部１１にボルト５を嵌め込むことで、支柱４を支持するものである。
【００２３】
脚部取付部２０は、図５や図６に示されるように下部が開放された箱状体であり、その上部には対向する側壁２４両方に孔部２３が設けられ、当該孔部２３，２３に横架される形状でピン２２が嵌め込まれている。
【００２４】
また、側壁２４の内周には、揺動するネジ部材４０が当接しない態様で凸部２１が設けられている。すなわち図５に示されるように、側壁２４の内周面にわたり凸部２１が設けられているが、対向する凸部２１，２１間にネジ部材４０の径よりも大きい間隙が設けられており、当該ネジ部材４０の揺動の支障にならないものである。
【００２５】
図１７はネジ部材４０及び脚部材３０を示すものである。ネジ部材４０の端部には円筒体４１が存し、当該円筒体４１の空洞部にはピン２２が緩挿されるものである。ネジ部材４０の他方端部にはネジ山４２が設けられている。脚部材３０は円柱体であり、端部にはネジ部材４０を螺合可能なネジ溝３１が設けられている。
【００２６】
三、  請求項２記載の発明の実施形態
図７乃至図１３は請求項２に記載の発明における基台、すなわち筒部１０と脚部取付部２０を示すものである。なお、請求項２記載の発明における基台の背面図は、図７に示される正面図と対称に表れるものである。
【００２７】
請求項２に記載の発明においては、図１３に示すように脚部材取付部２０の側壁２４の上部２４ａにおいて、対向する側壁２４間の距離を短くすることで側壁２４の内周に凸部２１が設けてある。かかる点以外は請求項１記載の発明とその実施形態は同一である。
【符号の説明】
【００２８】
１０・・筒部          １１・・孔部
２０・・脚部取付部      ２１・・凸部        ２２・・ピン
２３・・孔部            ２４・・側壁
３０・・脚部材
４０・・ネジ部材        ４１・・円筒体      ４２・・ネジ山
【図１】
2017187120.tif 000003
【図２】
2017187120.tif 000004
【図３】
2017187120.tif 000005
【図４】
2017187120.tif 000006
【図５】
2017187120.tif 000007
【図６】
2017187120.tif 000008
【図７】
2017187120.tif 000009
【図８】
2017187120.tif 000010
【図９】
2017187120.tif 000011
【図１０】
2017187120.tif 000012
【図１１】
2017187120.tif 000013
【図１２】
2017187120.tif 000014
【図１３】
2017187120.tif 000015
【図１４】
2017187120.tif 000016
【図１５】
2017187120.tif 000017
【図１６】
2017187120.tif 000018
【図１７】
2017187120.tif 000019
【図１８】
2017187120.tif 000020
【図１９】
2017187120.tif 000021
【手続補正書】
【提出日】平成29年5月14日(2017.5.14)
【手続補正１】
【補正対象書類名】特許請求の範囲
【補正対象項目名】全文
【補正方法】変更
【補正の内容】
【特許請求の範囲】
【請求項１】
被支持物を支持する支柱が摺動可能な筒部と、
当該筒部の外周に複数設けられ、下方が開口し、側壁間に渡ってピンが横架され、側壁内周に、揺動するネジ部材に当接しない凸部を備えた箱状の脚部材取付部と、
上記ピンを軸として揺動するネジ部材と、
当該ネジ部材に螺合することで凸部に対する位置が可変であり、その天面を凸部に当接させることで脚部取付部に対して開状態及び閉状態で固定可能であると共に、その天面を凸部に当接しない位置に移動させることで揺動可能とし、かかる揺動により開閉動作を行う脚部材と、
により成る開閉脚付き支持体。
【請求項２】
脚部材取付部の側壁の上部において、対向する側壁間の距離を短くすることで側壁内周に凸部を設けた請求項１に記載の開閉脚付き支持体。